(57)【要約】【課題】乾燥効率の向上と構造の簡素化を図った生ごみ処理機を提供する。【解決手段】生ごみ１７を収納する生ごみ収納容器１と、生ごみ収納容器１の上方に位置すると共に送風ファン９とヒータ１０よりなり、生ごみ収納容器１内の生ごみを乾燥させるための加熱送風手段と、生ごみ収納容器１の上方を覆う上板２２と、上板２２の上方に空間２４を形成するための仕切り板２３と、空間２４と連通すると共に外気を導入するための吸気導入口１６と、上板２２に設けられた吸気排出口２５を備え、吸気導入口１６からの吸気を空間２４を通して、生ごみ収納容器１内に排出するようにしたもので、吸気導入口１６より導入された空気が、上板２２の上方の空間２４内で加熱されてから生ごみ収納容器１内に排出されるので乾燥効率が向上し、また空間２４が断熱層になるので、断熱材等が不要になり、構造を簡素化することができる。【選択図】図１
2011092866.tif 000002
【特許請求の範囲】
【請求項１】
生ごみを収納する生ごみ収納容器と、前記生ごみ収納容器の上方に位置すると共に送風ファンとヒータよりなり、前記生ごみ収納容器内の生ごみを乾燥させるための加熱送風手段と、前記生ごみ収納容器の上方を覆う上板と、前記上板の上方に空間を形成するための仕切り板と、前記空間と連通すると共に外気を導入するための吸気導入口と、前記上板に設けられた吸気排出口を備え、前記吸気導入口からの吸気を前記空間を通して、前記生ごみ収納容器内に排出する生ごみ処理機。
【請求項２】
空間内に遮蔽板を設け、吸気導入口から吸気排出口に至る経路を長くした請求項１に記載の生ごみ処理機。
【発明の詳細な説明】
【技術分野】
【０００１】
本発明は、主に家庭の台所で発生する生ごみを減量および減容させる生ごみ処理機に関するものである。
【背景技術】
【０００２】
従来、この種の生ごみ処理機は、図３に示すように、生ごみ収納容器４１と、生ごみ収納容器４１内のごみ４２を粉砕攪拌する回転刃４３と、回転刃４３を回転させるための駆動部４４と、生ごみ収納容器４１の上方を覆う上板４５と、上板４５を覆う蓋４６と、生ごみ収納容器４１の上部に設けた送風ファン４７と、リング状の電気ヒータからなる加熱手段４８と、吸気導入口４９を有するパイプ状の吸気通路５０と、吸気通路５０と連結し生ごみ収納容器４１内に吸気を排出する吸気排出口５１と、生ごみ４２から発生した蒸気を排気する排気経路５２と、生ごみ４２から発生した蒸気を排気通路５２を介して吸引し本体外に排気する吸引部５３から構成されていた（例えば、特許文献１参照）。
【０００３】
以上のように構成された従来の生ごみ処理機の動作、作用は以下の通りである。回転刃４３を回転させることによって生ごみ４２を粉砕攪拌しながら、加熱手段４８と送風ファン４７によって、上方から生ごみ収納容器４１内に温風を拡散させ、生ごみ４２を加熱し生ごみ４２から蒸気が発生する。生ごみ４２から発生した蒸気は吸引部５３によって排気通路５２を通って外気に放出されるが、このとき、吸引部５３で蒸気が吸引されることで生ごみ収納容器４１内が負圧になるので、吸気導入口４９より外気が吸い込まれ吸気通路５０を通って吸気排出口５１から生ごみ収納容器４１内に排出されながら生ごみ収納容器４１内の生ごみ４２を乾燥減量させていくものである。
【先行技術文献】
【特許文献】
【０００４】
【特許文献１】特開平１１−１１４５１３号公報
【発明の概要】
【発明が解決しようとする課題】
【０００５】
しかしながら、このような従来の生ごみ処理機の構成では、吸気排出口５１から生ごみ収納容器４１内に入る空気は、外気温に近い温度であるので生ごみ収納容器４１内に入る空気の温度を上げるために加熱手段４８の消費電力が増え、効率が悪くなる。また、高温となる上板４５が、蓋４６内に露出するため、蓋４６内が高温になり断熱のために断熱材等が必要となるという課題を有していた。
【０００６】
本発明は、前記従来の課題を解決するもので、乾燥効率の向上と構造の簡素化を図った生ごみ処理機を提供することを目的とする。
【課題を解決するための手段】
【０００７】
上記従来の課題を解決するために、本発明の生ごみ処理機は、生ごみを収納する生ごみ収納容器と、前記生ごみ収納容器の上方に位置すると共に送風ファンとヒータよりなり、前記生ごみ収納容器内の生ごみを乾燥させるための加熱送風手段と、前記生ごみ収納容器の上方を覆う上板と、前記上板の上方に空間を形成するための仕切り板と、前記空間と連通すると共に外気を導入するための吸気導入口と、前記上板に設けられた吸気排出口を備え、前記吸気導入口からの吸気を前記空間を通して、前記生ごみ収納容器内に排出するようにしたもので、吸気導入口より導入された空気が上板と仕切り板で形成された空間内で加熱されてから生ごみ収納容器内に排出されるので乾燥効率が向上すると共に上板と仕切
り板で形成された空間が断熱層になるので断熱材等が不要となり、構造を簡素化することができる。
【発明の効果】
【０００８】
本発明の生ごみ処理機は、乾燥効率の向上と構造の簡素化が図れるものである。
【図面の簡単な説明】
【０００９】
【図１】本発明の実施の形態１における生ごみ処理機の断面図
【図２】同生ごみ処理機の部分断面図
【図３】従来の生ごみ処理機の断面図
【発明を実施するための形態】
【００１０】
第１の発明は、生ごみを収納する生ごみ収納容器と、前記生ごみ収納容器の上方に位置すると共に送風ファンとヒータよりなり、前記生ごみ収納容器内の生ごみを乾燥させるための加熱送風手段と、前記生ごみ収納容器の上方を覆う上板と、前記上板の上方に空間を形成するための仕切り板と、前記空間と連通すると共に外気を導入するための吸気導入口と、前記上板に設けられた吸気排出口を備え、前記吸気導入口からの吸気を前記空間を通して、前記生ごみ収納容器内に排出するようにしたもので、吸気導入口より導入された空気が上板と仕切り板で形成された空間内で加熱されてから生ごみ収納容器内に排出されるので乾燥効率が向上すると共に上板と仕切り板で形成された空間が断熱層になるので断熱材等が不要となり、構造を簡素化することができる。
【００１１】
第２の発明は、特に、第１の発明の空間内に遮蔽板を設け、吸気導入口から吸気排出口に至る経路を長くしたもので、吸気が広い範囲で均一に流れながら加熱されるので乾燥効率が向上する。
【００１２】
以下、本発明の実施の形態について、図面を参照しながら説明する。なお、この実施の形態により本発明が限定されるものではない。
【００１３】
（実施の形態１）
図１は、本発明の第１の実施の形態における生ごみ処理機の断面図である。図１において、生ごみ収納容器１は、生ごみ１７を収納するもので、生ごみ収納容器１は外容器２内に収容される。生ごみ収納容器１の内壁には固定刃３が設けられ、この固定刃３と交差しながら回転する回転刃４がセンター軸６に連結されている。センター軸６は、外容器２の底部に設けた連結部７により着脱自在に回転軸８に連結されており、回転軸８は、駆動モータ５で駆動される。
【００１４】
上記固定刃３と回転刃４により生ごみ収納容器１の内部の生ごみ１７等を粉砕撹拌する粉砕撹拌手段を構成している。１０は、生ごみ収納容器１を加熱するヒ−タであり、生ごみ収納容器１の上部に配置してある。１４は、生ごみ処理機本体に開閉可能に設けた蓋で、蓋１４の下方に生ごみ収納容器１の上部を覆う上板２２を、上板２２の上方には仕切り板２３をそれぞれ設け、上板２２と仕切り板２３の間に空間２４を設けている。
【００１５】
上板２２と仕切り板２３の外周部には、パッキン１５がはさみこまれており、上板２２と仕切り板２３の外周部をシールするとともに、生ごみ収納容器１の開口をシールしている。仕切り板２３には、空間２４と連通すると共に外気を導入する吸気導入口１６が設けられている。
【００１６】
上板２２には、生ごみ収納容器１内に吸気を排出する吸気排出口２５と、生ごみ１７から発生した蒸気を排気する排気口２０が設けられている。生ごみ収納容器１の上部には、
生ごみ収納容器１内に風をつくる送風ファン９が仕切り板２３に取り付けられた送風モータ１１の軸１１ａを介して配置され、送風ファン９の周囲にはリング状のヒータ１０が配置されている。
【００１７】
送風ファン９とヒータ１０の周囲は、生ごみ１７が送風ファン９に接触するのを防止するために、多数の開口部（図示せず）を有するファンカバー１２で囲まれており、送風ファン９とヒータ１０で発生した温風は、ファンカバー１２の外側の開口部を通って生ごみ収納容器１内に送られると共にファンカバー１２の内側の開口部からは空気を吸い込み、生ごみ収納容器１内に対流を起こしている。
【００１８】
排気口２０には、排気通路１３が接続されており、排気の臭いを脱臭する脱臭装置２１に連結し、排気用の通路を形成している。脱臭装置２１の排気側には、排気ファン１８とそれを回転駆動する排気ファンモータ１９からなる吸引手段を有しており、生ごみ収納容器１内の蒸気は、排気ファン１８によって吸引されることにより外部へ排出される。
【００１９】
図２は、同生ごみ処理機の上板２２と仕切り板２３で形成した空間２４の横断面を示すものである。図２において、遮蔽板２６は、吸気導入口１６から導入された吸気が直線的に吸気排出口２５に流れないように上板２２と仕切り板２３の間に取り付けられたものである。
【００２０】
以上のように構成された本実施の形態における生ごみ処理機において、その動作、作用を説明する。
【００２１】
生ごみ収納容器１に投入された生ごみ１７は、間欠的に正転、反転を行なう回転刃４により攪拌されると共に回転刃４と固定刃３により粉砕される。送風ファン９とヒータ１０により発生する温風で加熱された生ごみ１７からは水蒸気が発生する。発生した臭気を含む水蒸気は、排気ファン１８と排気ファンモータ１９からなる吸引手段により吸引され、排気口２０、排気通路１３を通って脱臭装置２１に導入される。
【００２２】
脱臭装置２１に導入された臭気を含む蒸気は、脱臭装置２１にて臭いを除去された後、外部に排出される。吸引手段によって蒸気が生ごみ収納容器１から除去されると生ごみ収納容器１内は負圧になるので、生ごみ収納容器１内へは吸気導入口１６から導入された空気が上板２２と仕切り板２３で形成された空間２４を通って吸気排出口２５から生ごみ収納容器１内に排出される。
【００２３】
このとき、空気導入口１６から導入された空気は遮蔽板２６によって直線的に吸気排出口２５に向かわず、遮蔽板２６の外側から遮蔽板２６の内側にまわりこみ吸気排出口２５へと流れるので、吸気導入口１６から吸気排出口２５に至る経路が長くなり広い範囲で上板２２によって温められるので吸気排出口２５から排出されるときには温かい空気となっているので、ヒータ１０の消費電力を抑えることができ、乾燥効率が良い。また、熱伝導率の低い空気層によって断熱され高温の上板２２が蓋１４内に露出することがなく、断熱材等が不要となり、構造を簡素化できる。
【産業上の利用可能性】
【００２４】
以上のように本発明にかかる生ごみ処理機は、乾燥効率の向上と構造の簡素化を図ったものであり、主に家庭の台所で発生する生ごみを処理する生ごみ処理機として最適なものである。
【符号の説明】
【００２５】
１  生ごみ収納容器
９  送風ファン
１０  ヒータ
１６  吸気導入口
１７  生ごみ
２２  上板
２３  仕切り板
２４  空間
２５  吸気排出口
２６  遮蔽板
【図１】
2011092866.tif 000003
【図２】
2011092866.tif 000004
【図３】
2011092866.tif 000005